(57)【要約】    【課題】  背負い式かばんの収容部を容易に変更でき、使用者の用途やデザインの好みに対応した様々な形状の収容部を用いることができ、さらには、収容部を支持片でしっかりと安定して支持することができ、被収容物を安定して収容することができるとともに、使用者が背負い式かばんを背負う際の負担を軽減することができる背負い式かばんを提供すること。    【解決手段】  人が背負うことができるようにした背負部と、同背負部に着脱自在に取り付けた収容部とを具備する背負い式かばんにおいて、背負部は、背負いベルトを取り付けた背当体と、同背当体の背面に一体的に設けた収容部取付体とを具備し、収容部取付体は、上面開口の箱型に形成した支持片と、同支持片の前側上端部より立ち上げて形成した左・右側壁片と、両左・右側壁片の上端間に架設した上部片とから形成して、収容部取付体内に収容した収容部を、支持片に支持させるとともに、左・右側壁片に連結具を介して着脱自在に連結した。    【選択図】  図２
2006141883.tif 000002
【特許請求の範囲】
【請求項１】
人が背負うことができるようにした背負部と、
同背負部に着脱自在に取り付けた収容部とを具備する背負い式かばんにおいて、
背負部は、背負いベルトを取り付けた背当体と、
同背当体の背面に一体的に設けた収容部取付体とを具備し、
同収容部取付体は、上面開口の箱型に形成した支持片と、同支持片の前側上端部より立ち上げて形成した左・右側壁片と、両左・右側壁片の上端間に架設した上部片とから形成して、
収容部取付体内に収容した収容部を、支持片に支持させるとともに、左・右側壁片に連結具を介して着脱自在に連結したことを特徴とする背負い式かばん。
【請求項２】
前記背当体と前記収容部の人体の背中側の面との間に間隙を設けたことを特徴とする請求項１記載の背負い式かばん。
【請求項３】
前記背当体を弾力性のある素材で構成したことを特徴とする請求項１または２記載の背負い式かばん。
【請求項４】
前記連結具が紐体、点ファスナー、線ファスナー、面ファスナーの少なくともいずれか一つであることを特徴とする請求項１〜３のいずれか１項に記載の背負い式かばん。
【発明の詳細な説明】
【技術分野】
【０００１】
この発明は、背負い式かばんに関する。
【背景技術】
【０００２】
近年、リュックサックやデイバック等の背負い式かばんにおいては、物を入れて運ぶという通常の機能だけではなく、デザインなどのファッション性が要求されている。
【０００３】
そこで、収容部をかばん本体から着脱自在にして、使用者がその収容部を予め用意した他の収容部に変更することによってデザインを自由に選択・変更できる背負い式かばんが提案されている（例えば、特許文献１参照）。
【特許文献１】特開２００４−６５６２４号公報
【発明の開示】
【発明が解決しようとする課題】
【０００４】
しかしながら、上記従来の背負い式かばんは、取り替える収容部の大きさや形状が異なった場合、使用者が背負った際の装着感が異なってしまい、背負い式かばんを背負う際に負担になってしまうという問題点があった。
【０００５】
また、かばん本体の使用者の背中に対向する背当体が背中に馴染まず、背負い式かばんを背負う際に負担になってしまうという問題点があった。
【課題を解決するための手段】
【０００６】
そこで、この発明は、人が背負うことができるようにした背負部と、同背負部に着脱自在に取り付けた収容部とを具備する背負い式かばんにおいて、背負部は、背負いベルトを取り付けた背当体と、同背当体の背面に一体的に設けた収容部取付体とを具備し、同収容部取付体は、上面開口の箱型に形成した支持片と、同支持片の前側上端部より立ち上げて形成した左・右側壁片と、両左・右側壁片の上端間に架設した上部片とから形成して、収容部取付体内に収容した収容部を、支持片に支持させるとともに、左・右側壁片に連結具を介して着脱自在に連結したことを特徴とする背負い式かばんを提供するものである。
【０００７】
また、前記背当体と前記収容部の人体の背中側の面との間に間隙を設けたことにも特徴を有する。
【０００８】
また、前記背当体を弾力性のある素材で構成したことにも特徴を有する。
【０００９】
また、前記着脱手段が紐体、点ファスナー、線ファスナー、面ファスナーの少なくともいずれか一つであることにも特徴を有する。
【発明の効果】
【００１０】
（１）請求項１の本発明は、人が背負うことができるようにした背負部と、同背負部に着脱自在に取り付けた収容部とを具備する背負い式かばんにおいて、背負部は、背負いベルトを取り付けた背当体と、同背当体の背面に一体的に設けた収容部取付体とを具備し、同収容部取付体は、上面開口の箱型に形成した支持片と、同支持片の前側上端部より立ち上げて形成した左・右側壁片と、両左・右側壁片の上端間に架設した上部片とから形成して、収容部取付体内に収容した収容部を、支持片に支持させるとともに、左・右側壁片に連結具を介して着脱自在に連結した。
【００１１】
このようにして、背負部は、背負いベルトを取り付けた背当体と、同背当体の背面に一体的に設けた収容部取付体とを具備し、収容部取付体は、上面開口の箱型に形成した支持片と、同支持片の前側上端部より立ち上げて形成した左・右側壁片と、両左・右側壁片の上端間に架設した上部片とから形成して、収容部取付体内に収容した収容部を、支持片に支持させるとともに、左・右側壁片に連結具を介して着脱自在に連結したので、背負い式かばんの収容部を容易に変更することができる。従って、使用者の用途やデザインの好みに対応した様々な形状の収容部を用いることができる。
【００１２】
さらには、収容部を支持片でしっかりと安定して支持することができ、被収容物を安定して収容することができるとともに、使用者が背負い式かばんを背負う際の負担を軽減することができる。
【００１３】
（２）請求項２の本発明は、前記背当体と前記収容部の人体の背中側の面との間に間隙を設けた。
【００１４】
このようにして、前記背当体と前記収容部の人体の背中側の面との間に間隙を設けたので、収容部を、比較的大きなものとした場合や、収容部内に被収容物を比較的大量に収容した場合などの、収容部の膨張を間隙によって吸収することができる。
【００１５】
従って、背負い式かばんを背負う際の使用者の背中への圧迫をできるだけ防止することができ、使用者が背負い式かばんを背負った際の負担をより軽減することができる。
【００１６】
（３）請求項３の本発明は、前記背当体を弾力性のある素材で構成した。
【００１７】
このようにして、前記背当体を弾力性のある素材で構成したので、使用者の背中に対向する背当部を背中に馴染んだものとすることができ、使用者が背負い式かばんを背負う際の負担をより軽減することができる。
【００１８】
（４）請求項４の発明によれば、前記連結具が紐体、点ファスナー、線ファスナー、面ファスナーの少なくともいずれか一つとした。
【００１９】
このようにして、前記連結具が紐体、点ファスナー、線ファスナー、面ファスナーの少なくともいずれか一つとしたので、簡単な手段で収容部と背負部とを着脱自在にすることができる。従って、背負い式かばんの取り扱いを容易にするとともに、コストダウンを図ることができる。
【発明を実施するための最良の形態】
【００２０】
本発明は、人が背負うことができるようにした背負部と、同背負部に着脱自在に取り付けた収容部とを具備する背負い式かばんに関するものであり、背負い式かばんの収容部を容易に変更可能として、使用者の用途やデザインの好みに対応した様々な形状の収容部を用いることができるものである。
【００２１】
特に、背負部は、背負いベルトを取り付けた背当体と、同背当体の背面に一体的に設けた収容部取付体とを具備し、収容部取付体は、上面開口の箱型に形成した支持片と、同支持片の前側上端部より立ち上げて形成した左・右側壁片と、両左・右側壁片の上端間に架設した上部片とから形成して、収容部取付体内に収容した収容部を、支持片に支持させるとともに、左・右側壁片に連結具を介して着脱自在に連結している。
【００２２】
このようにして、収容部を支持片でしっかりと安定して支持できるようにしている。従って、被収容物を安定して収容することができるとともに、使用者が背負い式かばんを背負う際の負担を軽減することができる。
【００２３】
そして、前記背当体と前記収容部の人体の背中側の面との間には間隙を設けて、収容部を、比較的大きなものとした場合や、収容部内に被収容物を比較的大量に収容した場合などの、収容部の膨張を間隙によって吸収することができるようにしている。
【００２４】
従って、背負い式かばんを背負う際の使用者の背中への圧迫をできるだけ防止することができ、使用者が背負い式かばんを背負った際の負担をより軽減することができる。
【００２５】
また、前記背当体を弾力性のある素材で構成し、使用者の背中に対向する背当部を背中に馴染んだものとすることができ、使用者が背負い式かばんを背負う際の負担をより軽減できるようにしている。
【００２６】
なお、前記連結具は、紐体、点ファスナー、線ファスナー、面ファスナーの少なくともいずれか一つとすることができる。
【００２７】
このようにして、簡単な手段で収容部と背負部とを着脱自在にすることができるようにしている。従って、背負い式かばんの取り扱いを容易にするとともに、コストダウンを図ることができる。
【００２８】
ここで、点ファスナーとは、二つの分離している点部と点部とを点的に結合するもの、例えば、ホック等をいう。
【００２９】
また、線ファスナーとは、二つの分離している縁部と縁部とを線的に結合するもの、例えば、チャック等をいう。
【００３０】
また、面ファスナーとは、二つの分離している平面と平面とを面的に結合するもの、例えば、マジックテープ（登録商標）等をいう。
【００３１】
以下、本発明に係る実施例１〜４を図面に基づき詳説する。
【実施例１】
【００３２】
実施例１に係る背負い式かばんＡは、図１及び図２に示すように、人が背負うことができるようにした背負部１と、同背負部１に着脱自在に取り付けた収容部２とを具備するものであり、背負い式かばんＡを容易に使用者の用途、デザインの好みに応じたものに変更することができるとともに、背負部１と収容部２とを一体にして保管するのに比べ、背負部１と収容部２を個々に保管・収納することができ、収納空間をより効率よく使用できるものである。
【００３３】
まず、背負部１について説明する。
【００３４】
背負部１は、図１及び図３に示すように、使用者の背中に対向する背当体12の正面12aの上部と下部に、左・右側背負いベルト11,11をそれぞれ取り付け、両左・右側背負いベルト11,11と前記背当体12との間に、使用者が腕を通し、背負うことができるようにしている。
【００３５】
なお、図中、11aは、使用者が背負い式かばんＡを背負う際、左・右側背負いベルト11,11を好みの位置に調整して背負うための調整ベルトである。
【００３６】
ここで、背当体12は、弾力性があり、比較的型崩れしにくい素材（例えば、低反発ウレタン）によって構成して、背当体12としての形態をできるだけ保持しながら、背当体12を使用者の背中に馴染んだものとするようにしており、背負い式かばんＡを背負う際の使用者の負担を軽減することができるようにしている。
【００３７】
一方、背当体12の背面12bには、図１、図２、及び図４に示すように、収容部取付体13を背当体12と一体的に設けている。
【００３８】
すなわち、収容部取付体13は、上面開口の箱型に形成した支持片14と、同支持片14の左・右壁14a,14bの前側上端部より立ち上げて形成した左・右側壁片15,15と、両左・右側壁片15,15の上端間に架設した上部片16とで形成している。
【００３９】
そして、支持片14の前端と、左・右側壁片15,15の前端と、上部片16の前端とは、前記背当体12の背面12bに一体的に取り付けている。
【００４０】
さらに、両左・右側壁片15,15の内側には、連結具としての線ファスナー19を設けている。
【００４１】
従って、収容部２の下部を支持片14によって支持するとともに、左・右側壁片15,15の内側に、後述する連結具としての線ファスナー22を介して収容部２を着脱可能に連結することができ、収容部取付体13内に収容部２を安定した状態でしっかりと収容することができる。
【００４２】
その結果、使用者が背負い式かばんＡを背負う際の負担を軽減することができる。
【００４３】
なお、本実施例では、背当体12及び各片14,15,16を一体にして構成しているが、本発明はこれに限られるものではなく、背当体12及び各片14,15,16を別体にして構成することもできる。
【００４４】
次いで、収容部２について説明する。
【００４５】
収容部２は、図１，図２，及び図４に示すように、正面視で背当体12と略同じ形状の袋状に構成するとともに、上縁部から左・右側縁部に沿って設けた開口に線ファスナー21を縫止しており、この線ファスナー21を開閉させることによって、収容部２内に小物等の被収容物を収容できるようにしている。
【００４６】
また、収容部２の上部外側であって、線ファスナー21よりも正面側には、収容部２の上縁部から左・右側縁部に沿って、一側が収容部２に固定された帯状の連結具取付体23を設けており、この両連結具取付体23の前端には、連結具としての線ファスナー22を設けている。
【００４７】
そして、線ファスナー22と前記線ファスナー19を係合・離脱させることによって、背負部１と収容部２とを着脱自在に連結可能にしている。従って、簡単な手段で背負部１と収容部２とを着脱自在にすることができる。その結果、背負い式かばんＡの取り扱いを容易にするとともに、コストダウンを図ることができる。
【００４８】
ここで、両線ファスナー19,22は、背負部１に収容部２を収容する際、背負部１の背当体12と、収容部２の背当体12側との間に、間隙Ｓを形成する位置に設けている。
【００４９】
このように、背当体12と収容部２との間に間隙Ｓを形成することで、収容部２を変更し、比較的大きな収容部２を用いた場合でも、背負い式かばんＡを背負う際の使用者の背中への圧迫を間隙Ｓによって吸収することができ、背負い式かばんＡを背負う際の使用者の負担をより軽くすることができる。
【００５０】
また、収容部２内に比較的大量の被収容物を収容し収容部２が膨張する場合でも、背負い式かばんＡを背負う際の使用者の背中への圧迫を間隙Ｓによって吸収することができる。
【００５１】
さらには、両線ファスナー19,22は、両左・右側壁片15,15の内側に位置するようにしているので、両線ファスナー19,22の位置から背負い式かばんＡ内への水などの浸入を防止することができる。
【００５２】
また、両線ファスナー19,22は、両左・右側壁片15,15の内側に位置するようにしているので、使用者は、背負い式かばんＡの外側からは、両線ファスナー19,22を視認することがないため、使用者が前記線ファスナー21と誤認することを防止したり、統一感のあるデザインとしたり、両線ファスナー19,22に手や物を引っ掛けてしまうことを防止することができる。
【００５３】
また、図４に示すように、背負部１の支持片14の背面側には、収容部固定ベルト17,17を設ける一方、対応する収容部２の背面側下部には、収容部固定ベルト受部24,24を設けている。
【００５４】
このようにして、収容部固定ベルト17,17と、収容部固定ベルト受部24,24によって、収容部２を背負部１の収容部取付体13内に安定して収容できるようにしている。
【００５５】
そして、図２に示すように、収容部２の上部正面側の左右略中央部には取手25を設けており、収容部２を背負部１から取り外した場合に、単体で手さげ用かばんとして用いることができるようにしている。
【００５６】
さらに、この取手25は、折りたたみ可能としており、背負部１の収容部取付体13内に収容部２を収容する際に、図１に示すように、折りたたんで背負い式かばんＡの全体のデザインの統一感を損ねないようにしている。
【００５７】
なお、収容部２は、たとえば、色を日本の四季に合わせた４種類の色のものを用意しておき、季節によって変更するなど、使用者の用途やデザインの好みに対応した様々な形状に容易に変更することができる。
【００５８】
そして、背負体１の左・右側縁下部には、図３及び図４に示すように、ウエストベルト18,18を取り付けるとともに、この両ウエストベルト18,18の先端には、ウエストポーチ20を取り付け可能にして、ウエストポーチ20内に小物等を収容することができるようにしている。さらには、使用者が背負い式かばんＡを背負う際、背負部１が動くことをできるだけ防止し、使用者が背負い式かばんＡを背負う際の負担をより軽減することができる。
【００５９】
また、図４に示すように、収容部２の背面略中央には、取付収容体29を取り付けて、収容部２内とは別に、小物などの被収容物を収容できるようにしている。
【００６０】
本実施例に係る背負い式かばんＡは、以上のようにして構成されており、以下に、背負部１に収容部２を取り付ける際の取付方法について説明する。
【００６１】
収容部取付体13の各片14,15,15,16内に、収容部２を収容する。
【００６２】
この際、支持片14によって、収容部２の下部を支持するとともに、左・右側壁片15,15の内側に設けた線ファスナー19と、収容部２の外周に設けた線ファスナー22とを係合・連結する。
【００６３】
このようにして、収容部取付体13内に収容部２を収容・固定することで、収容部２を支持片14でしっかりと安定して支持することができ、被収容物を安定して収容することができるとともに、使用者が背負い式かばんＡを背負う際の負担を軽減することができる。
【００６４】
しかも、収容部取付体13内に収容部２を収容する際、背当体12と収容部２との間に間隙Ｓが形成されるので、収容部２を、比較的大きなものに変更した場合でも、背負い式かばんＡを背負う際の使用者の背中への圧迫をできるだけ防止し、使用者が背負い式かばんＡを背負った際の負担をより軽減することができる。
【００６５】
また、収容部に被収容物を比較的大量に収容した場合でも、背負い式かばんＡを背負う際の使用者の背中への圧迫をできるだけ防止することができ、使用者が背負い式かばんＡを背負う際の負担をより軽減することができる。
【実施例２】
【００６６】
実施例２に係る背負い式かばんＡは、実施例１と基本的構成を同じくしているが、図５に示すように、連結具取付体23に複数の孔23a,23a,23a・・・・を、両左・右側壁片15,15の内側に複数の孔15a,15a,15a・・・・を設ける点で異なっている。
【００６７】
このようにして、連結具取付体23と、両左・右側壁片15,15の内側に、それぞれ複数の孔15a,23aを設けることで、各孔15a,23a間に紐体（図示しない）を通し、背負部１と収容部２とを連結することができる。
【００６８】
従って、簡単な手段で背負部１と収容部２とを着脱自在にすることができる。その結果、背負い式かばんＡの取り扱いを容易にするとともに、コストダウンを図ることができる。
【００６９】
なお、図５中、実施例１に示した部分に対応する部分には同じ番号を付し、本実施例２ではその説明を省略する。
【実施例３】
【００７０】
実施例３に係る背負い式かばんＡは、実施例１及び２と基本的構成を同じくしているが、図６に示すように、連結具取付体23と両左・右側壁片15,15の内側に、連結具としての面ファスナー26を設ける点で異なっている。
【００７１】
このようにして、連結具取付体23と、両左・右側壁片15,15の内側に、面ファスナー26を設けることで、背負部１と収容部２とを連結することができる。
【００７２】
従って、簡単な手段で背負部１と収容部２とを着脱自在にすることができる。その結果、背負い式かばんＡの取り扱いを容易にするとともに、コストダウンを図ることができる。
【００７３】
また、本実施例では、連結具として面ファスナー26を用いたが、連結具としてボタンやホックなどの点ファスナーを用いて背負部１と収容部２とを着脱自在にすることもできる。
【００７４】
なお、図６中、実施例１及び２に示した部分に対応する部分には同じ番号を付し、本実施例３ではその説明を省略する。
【実施例４】
【００７５】
実施例４に係る背負い式かばんＡは、実施例３と基本的構成を同じくしているが、図７に示すように、連結具取付体23を覆うように、一側を収容体２に固定した覆体28を設ける点で異なっている。
【００７６】
このようにして、連結具取付体23を覆うように、覆体28を設けることで、背負体１に収容部２を取り付ける際、連結具取付体23の外側に両左・右側壁片15,15が位置し、この両左・右側壁片15,15の外側に、さらに覆体28,28が位置することとなる。
【００７７】
従って、両線ファスナー19,22の位置から背負い式かばんＡ内への水などの浸入をさらに防止することができる。
【００７８】
なお、図７中、実施例４に示した部分に対応する部分には同じ番号を付し、本実施例４ではその説明を省略する。
【図面の簡単な説明】
【００７９】
【図１】実施例１に係る背負い式かばんの側面図。
【図２】実施例１に係る背負い式かばんの背負部と収容部を取り外した場合の側面図。
【図３】実施例１に係る背負い式かばんの正面図。
【図４】実施例１に係る背負い式かばんの背面図。
【図５】実施例２に係る背負い式かばんの側面図。
【図６】実施例３に係る背負い式かばんの側面図。
【図７】実施例４に係る背負い式かばんの側面図。
【符号の説明】
【００８０】
Ａ  背負い式かばん
Ｓ  間隙
１  背負部
２  収容部
11  背負いベルト
12  背当体
12b    背当体の背面
13  収容部取付体
14  支持片
15    左・右側壁片
16  上部片
19,22  線ファスナー
26  面ファスナー
【図１】
2006141883.tif 000003
【図２】
2006141883.tif 000004
【図３】
2006141883.tif 000005
【図４】
2006141883.tif 000006
【図５】
2006141883.tif 000007
【図６】
2006141883.tif 000008
【図７】
2006141883.tif 000009